(57)【要約】      （修正有）【課題】遊技場ホールの売り上げや経理の改竄を未然に防止して、第３者による遊技場ホールの正確な売り上げの記録や管理を容易に行い得るように遊技場ホールの経理を透明化する売り上げ管理システムのための遊技価値記録媒体処理装置を提供する。【解決手段】遊技機設備のパチンコ遊技機の遊技制御装置３４０から遊技価値記録媒体処理装置の認証制御装置４５０を介するブラックボックスサーバＢＳへのデータ出力ラインは、遊技価値記録媒体処理装置の処理制御装置４４０からホールサーバＨＳへのデータ出力ラインとは別個独立に構成されている。【選択図】図７
2014087494.tif 000002
【特許請求の範囲】
【請求項１】
売上管理装置及び封入式遊技機と共に遊技場ホール内に配設されて、遊技者の所有する遊技価値に基づいて前記封入式遊技機による遊技を可能とする遊技価値記憶媒体処理装置において、
前記封入式遊技機による遊技者の遊技価値を遊技価値データとして前記売上管理装置に出力するように処理する第１遊技価値データ処理手段と、
前記遊技場ホール外において第３者の管理下にある第３者管理装置が通信可能なネットワークに向けて前記遊技価値データを送信するように処理する第２遊技価値データ処理手段とを備えることを特徴とする遊技価値記憶媒体処理装置。
【請求項２】
前記封入式遊技機は、前記遊技価値データを出力するようになっており、
前記第１遊技価値データ処理手段は、前記封入式遊技機からの前記遊技価値データを前記売上管理装置に出力するように処理し、
前記第２遊技価値データ処理手段は、前記封入式遊技機からの前記遊技価値データを前記ネットワークに対し送信するように処理することを特徴とする請求項１に記載の遊技価値記憶媒体処理装置。
【請求項３】
前記第２遊技価値データ処理手段は、前記封入式遊技機からの前記遊技価値データを電子認証付き遊技価値データとして前記ネットワークに対し送信するように処理することを特徴とする請求項２に記載の遊技価値記憶媒体処理装置。
【請求項４】
前記第２遊技価値データ処理手段は、
前記封入式遊技機からの前記遊技価値データをその暗号化により前記電子認証付き遊技価値データとするように制御する電子認証制御手段を具備して、
当該電子認証手段からの前記電子認証付き遊技価値データを前記ネットワークに対し送信するように処理することを特徴とする請求項３に記載の遊技価値記憶媒体処理装置。
【請求項５】
遊技価値記憶媒体を挿入する挿入部を具備して、前記遊技者の前記封入式遊技機による遊技の終了の際に、前記封入式遊技機から出力される前記遊技価値データを、前記挿入部に挿入済みの前記遊技価値記憶媒体に対し記憶させるようにしたことを特徴とする請求項２〜４のいずれか１つ記載の遊技価値記憶媒体処理装置。
【発明の詳細な説明】
【技術分野】
【０００１】
本発明は、遊技場ホール内に設置されている封入式遊技機による遊技に伴い生ずる遊技価値データに基づき売り上げデータを管理して、売り上げ改竄等の不正な経理操作を防止するための遊技価値記録媒体処理装置に関する。
【背景技術】
【０００２】
従来、遊技場ホールにおいては、遊技者に対しパチンコ遊技機やスロットマシン等の各種遊技機による遊技が提供されるようになっている。また、遊技場ホールにおいては、遊技媒体貸出装置が、遊技を行う遊技者に対し遊技球やメダル等の遊技媒体を貸し出すために配置されている。
【０００３】
これにより、遊技場ホールにおける営業実績の計上は、遊技媒体貸出装置の売り上げを当該遊技場ホールで集計することでなされている。
【０００４】
ここで、遊技場ホールにおける営業実績の計上は、遊技媒体貸出装置の売り上げを当該遊技場ホール内で集計することでなされているため、売り上げデータが遊技場ホールの経営者の恣意的操作や当該遊技場ホールの従業員の悪質な搾取によって、不正に改竄されるおそれがある。これでは、遊技場ホールにおける経理が透明性に欠ける。
【０００５】
これに対する対策として、近年、第３者、例えば、カード販売・管理業者が、プリペイドカードを利用する決済システムのもとに、遊技場ホールの売り上げを捕捉するというプリペイドカードシステムが、広く導入されている（下記特許文献１、２参照）。
【０００６】
このプリペイドカードシステムによれば、遊技者が、カード販売・管理業者により販売されたプリペイドカードを用いて、封入式遊技機による遊技を行えば、当該遊技者の遊技に伴うプリペイドカードにおける消費数や賞球数のデータに基づき、遊技場ホールの売り上げ金額がカード販売・管理業者により捕捉される。一方、遊技者に貸し出した実際の遊技球の数に基づく金額が、遊技場ホールの経営者によって、カード販売・管理業者に請求される。
【０００７】
これによって、カード販売・管理業者と遊技場ホールの経営者との間の取引決済がなされることとなる。
【０００８】
そこで、近年、遊技機メーカによる開発が進んでいるいわゆる封入式遊技機を遊技場ホールに配設して、当該封入式遊技機による遊技者の遊技に伴う遊技場ホールにおける売り上げに対し、上述のプリペイドカードシステムを遊技場ホールにおいて適用することで、封入式遊技機についても、カード販売・管理業者と遊技場ホールの経営者との間の取引決済を行うことも考えられる。
【先行技術文献】
【特許文献】
【０００９】
【特許文献１】特開２００１−２３２００８号公報
【特許文献２】特開２０００−２０２１４４号公報
【発明の概要】
【発明が解決しようとする課題】
【００１０】
ところで、上述した封入式遊技機によれば、遊技者が遊技球を獲得しても、実際の遊技球の賞球払い出しはなされない。従って、遊技場ホールにおいて配置された封入式遊技機による遊技でもって遊技者により獲得される遊技球の払い出し数は不明確である。このため、遊技場ホール側の営業実績の申告に頼らざるを得ない。
【００１１】
また、上述のプリペイドカードシステムにおいて、プリペイドカードとしては、磁気記録方式のカードが採用されている。ここで、当該磁気記録方式のカードによると、このカードから読み出された磁気記録データの解析は不可能であるとしても、当該カードの磁気記録データをコピーして別の磁気記録方式のカードに書き込むことで、金額データを不正に改竄して記録することは可能である。このことは、カードの偽造でもって売り上げデータを改竄し得ることを意味する。
【００１２】
従って、このようなカードの偽造による売り上げデータの改竄が、上述のような遊技場ホール側の営業実績の申告に頼らざるを得ない状況においてなされると、遊技場ホールにおける正確な売り上げ実績の計上が阻害されるばかりか、カード販売・管理業者及び遊技場ホールの経営者の双方に甚大な金銭的被害を発生させるという不具合が生ずる。これでは、プリペイドカードシステムの導入によっても、カード販売・管理業者及び遊技場ホールにおける客観的な透明性のある経理処理が阻害される。なお、以上のようなことは、プリペイドカードがＩＣカードであっても実質的に同様である。
【００１３】
そこで、本発明は、以上のようなことに対処するため、遊技場ホールの売り上げや経理の改竄を未然に防止して、第３者による遊技場ホールの正確な売り上げの記録や管理を容易に行い得るように遊技場ホールの経理を透明化するための遊技価値記録媒体処理装置を提供することを目的とする。
【課題を解決するための手段】
【００１４】
上記課題の解決にあたり、本発明に係る遊技価値記憶媒体処理装置は、請求項１の記載によれば、
売上管理装置（ＨＳ）及び封入式遊技機（３００）と共に遊技場ホール（Ｈ）内に配設されて、遊技者の所有する遊技価値に基づいて封入式遊技機による遊技を可能とする。
【００１５】
当該遊技価値記憶媒体処理装置において、
封入式遊技機による遊技者の遊技価値を遊技価値データとして売上管理装置に出力するように処理する第１遊技価値データ処理手段（４４０）と、
遊技場ホール外において第３者の管理下にある第３者管理装置（ＤＳ）が通信可能なネットワーク（ＩＮ）に向けて上記遊技価値データを送信するように処理する第２遊技価値データ処理手段（４５０）とを備えることを特徴とする。
【００１６】
これによれば、第１遊技価値データ処理手段が、封入式遊技機による遊技者の遊技価値を遊技価値データとして売上管理装置に出力するように処理し、かつ、第２遊技価値データ処理手段が、遊技場ホール外において第３者の管理下にある第３者管理装置が通信可能なネットワークに向けて、遊技価値データを送信するように処理する。
【００１７】
従って、第２遊技価値データ処理手段からネットワークへの送信系統は、第１遊技価値データ処理手段から売上管理装置への出力系統とは、別個独立に構成されている。
【００１８】
このため、遊技場ホール外において第３者の管理下にある第３者管理装置は、ネットワークを介し売上管理装置からの出力データを受信することはなく、第２遊技価値データ処理手段からの出力データのみを、ネットワークを介し受信することとなる。その結果、売上管理装置においてデータが改竄されていても、これに影響されることなく、第３者管理装置が第２遊技価値データ処理手段からネットワークを介し受信するデータは、改竄等を伴うことなく、信頼性高く維持され得る。
【００１９】
また、本発明は、請求項２の記載によれば、請求項１に記載の遊技価値記憶媒体処理装置において、
封入式遊技機は、上記遊技価値データを出力するようになっており、
第１遊技価値データ処理手段は、封入式遊技機からの上記遊技価値データを売上管理装置に出力するように処理し、
第２遊技価値データ処理手段は、封入式遊技機からの上記遊技価値データをネットワークに対し送信するように処理することを特徴とする。
【００２０】
これによれば、封入式遊技機から出力される遊技価値データが、第１遊技価値データ処理手段により売上管理装置に出力され、一方、第２遊技価値データ処理手段によりネットワークに対し送信されることから、請求項１に記載の発明の作用効果がより一層具体的に確保され得る。
【００２１】
また、本発明は、請求項３の記載によれば、請求項２に記載の遊技価値記憶媒体処理装置において、
第２遊技価値データ処理手段は、封入式遊技機からの上記遊技価値データを電子認証付き遊技価値データとしてネットワークに対し送信するように処理することを特徴とする。
【００２２】
これによれば、封入式遊技機からの遊技価値データが電子認証付き遊技価値データとして第２遊技価値データ処理手段によりネットワークに送信されるので、第３者管理装置がネットワークを介し受信するデータは、改竄されることなく正しく維持され得る。その結果、第３者管理装置の受信データを利用すれば、遊技場ホール側における売り上げの経理処理の適否を正しく調べることができる。
【００２３】
また、本発明は、請求項４の記載によれば、請求項３に記載の遊技価値記憶媒体処理装置において、
第２遊技価値データ処理手段は、
封入式遊技機からの上記遊技価値データをその暗号化により上記電子認証付き遊技価値データとするように制御する電子認証制御手段（４５０）を具備して、
当該電子認証手段からの上記電子認証付き遊技価値データをネットワークに対し送信するように処理することを特徴とする。
【００２４】
これにより、封入式遊技機からの遊技価値データが電子認証制御手段により電子認証付き遊技価値データとして形成されることから、請求項３に記載の発明の作用効果がより一層具体的に達成され得る。
【００２５】
また、本発明は、請求項５の記載によれば、請求項２〜４のいずれか１つ記載の遊技価値記憶媒体処理装置において、
遊技価値記憶媒体を挿入する挿入部（４１０ａ）を具備して、遊技者の封入式遊技機による遊技の終了の際に、封入式遊技機から出力される上記遊技価値データを、上記挿入部に挿入済みの上記遊技価値記憶媒体に対し記憶させるようにしたことを特徴とする。
【００２６】
これによれば、遊技者は、封入式遊技機による遊技の終了時には、封入式遊技機からの遊技価値データが記憶された遊技価値記憶媒体を取得しつつ、請求項２〜４のいずれか１つ記載の発明の作用効果を達成することができる。
【発明の効果】
【００２７】
本発明によれば、遊技場ホール外において第３者の管理下にある第３者管理装置は、ネットワークを介し売上管理装置の出力データを受信することはなく、第２遊技価値データ処理手段からの出力データのみを、ネットワークを介し受信することとなる。その結果、売上管理装置においてデータが改竄されていても、これに影響されることなく、第３者管理装置が第２遊技価値データ処理手段からネットワークを介し受信するデータは、信頼性高く維持され得る。
【００２８】
なお、上記各手段の括弧内の符号は、後述する実施形態に記載の具体的手段との対応関係を示す。
【図面の簡単な説明】
【００２９】
【図１】本発明が適用されてなる売り上げ管理ウェブシステムの一実施形態を示すブロック図である。
【図２】図１のパチンコホールにおける各遊技機設備の配列構成を模式的に示す模式的配列構成図である。
【図３】図２の遊技機設備の拡大斜視図である。
【図４】図３の遊技機設備の平面図である。
【図５】図２の遊技機設備の分解斜視図である。
【図６】図３の遊技機設備を、パチンコ遊技機の前扉の開放状態にて示す斜視図である。
【図７】図１の売り上げ管理ウェブシステムの一遊技場システムにおける一遊技場設備の構成をインターネットとの関係にて示すブロック図である。
【図８】上記実施形態における遊技機設備の遊技機の遊技制御装置が実行する遊技処理プログラムを表すフローチャートである。
【図９】図８の出力データセット処理ルーチンの詳細フローチャートである。
【図１０】図８の遊技終了処理ルーチンの詳細フローチャートである。
【図１１】図７の処理制御装置が実行するカード処理プログラムを表すフローチャートである。
【図１２】図１１のカード書き込み処理ルーチンを表す詳細フローチャートである。
【図１３】図１１のカード排出処理ルーチンを表す詳細フローチャートである。
【発明を実施するための形態】
【００３０】
以下、本発明の一実施形態について図面を参照して説明する。図１は、本発明が、遊技場ホールの売り上げを管理する売り上げ管理ウェブシステムに適用されてなる一実施形態を示している。当該売り上げ管理ウェブシステムは、複数の遊技場システムＧＳと、当該複数の遊技場システムＧＳにインターネットＩＮを介し接続されるデータ管理サーバＤＳとでもって構成されている。なお、データ管理サーバＤＳは、第３者管理センター（図示しない）に配設されており、当該データ管理サーバＤＳは、有線或いは無線によりインターネットＩＮと通信可能となっている。
【００３１】
複数の遊技場システムＧＳは、それぞれ、複数の遊技場ホールの１例である複数のパチンコホールＨ（図１参照）内に配設されている。本実施形態では、パチンコホールＨの数は、例えば、「１０」であるものとする。ここで、複数のパチンコホールＨは、図１の図示左端のパチンコホールから図示右端のパチンコホールにかけて、第１〜第１０のパチンコホールＨという。これに伴い、第１〜第１０のパチンコホール内の各遊技場システムＧＳは、それぞれ、第１〜第１０の遊技場システムＧＳという。なお、各パチンコホールＨの営業時間は、例えば、共に、午前１０時〜午後１０時であるものとする。
【００３２】
ここで、複数の遊技場システムＧＳは、それぞれ、同一の構成を有することから、当該数の遊技場システムＧＳのうちの第１遊技場システムＧＳの構成について説明する。
【００３３】
当該第１遊技場システムＧＳは、図１にて例示するごとく、複数の遊技機設備群Ｇ１〜Ｇ１２（図２参照）と、ホールサーバＨＳと、ブラックボックスサーバＢＳとによって構成されている。
【００３４】
複数の遊技機設備群Ｇ１〜Ｇ１２は、それぞれ、第１パチンコホールＨ内にてその床面上に配列されている。ここで、各遊技機設備群Ｇ１〜Ｇ６は、第１パチンコホールＨの床面の左側床面部上において、前後方向に配設されており、残りの各遊技機設備群Ｇ７〜Ｇ１２は、第１パチンコホールＨの床面の右側床面部上において、前後方向に配設されている（図２参照）。
【００３５】
各遊技機設備群Ｇ１〜Ｇ５のうち、遊技機設備群Ｇ１は、図２にて示すごとく、複数の遊技機設備１０〜１５からなるもので、各遊技機設備１０〜１５は、その各前面にて第１パチンコホールＨの後方に向くように、遊技機設備１０から遊技機設備１５にかけて左側から右側へ順次並んで第１パチンコホールＨの左側床面部上に配列されている。なお、各遊技機設備１０〜１５は、第１パチンコホールＨ内において１つの島を構成する。
【００３６】
遊技機設備群Ｇ２は、複数の遊技機設備２０〜２５及び３０〜３５からなるもので、各遊技機設備２０〜２５は、その各前面にて、それぞれ、各遊技機設備１０〜１５の前面に対向するように、かつ当該各遊技機設備１０〜１５に並行となるように、遊技機設備２０から遊技機設備２５にかけて左側から右側へ順次並んで第１パチンコホールＨの左側床面部上に配列されている。
【００３７】
また、各遊技機設備３０〜３５は、その各前面にて第１パチンコホールＨの後方に向くように、遊技機設備３０から遊技機設備３５にかけて各遊技機設備２０〜２５の背面に沿い左側から右側へ順次並んで第１パチンコホールＨの左側床面部上に配列されている。なお、各遊技機設備３０〜３５は、各遊技機設備２０〜２５と共に、第１パチンコホールＨにおいて１つの島を構成する。
【００３８】
遊技機設備群Ｇ３は、複数の遊技機設備４０〜４５及び５０〜５５からなるもので、各遊技機設備４０〜４５は、その各前面にて、それぞれ、各遊技機設備３０〜３５の前面に対向するように、かつ、当該各遊技機設備３０〜３５に対し並行となるように、遊技機設備４０から遊技機設備４５にかけて左側から右側へ順次並んで第１パチンコホールＨの左側床面部上に配列されている。
【００３９】
また、各遊技機設備５０〜５５は、その各前面にて第１パチンコホールＨの後方に向くように、遊技機設備５０から遊技機設備５５にかけて各遊技機設備４０〜４５の背面に沿い左側から右側へ順次並んで第１パチンコホールＨの左側床面部上に配列されている。なお、各遊技機設備５０〜５５は、各遊技機設備４０〜４５と共に、第１パチンコホールＨにおいて１つの島を構成する。
【００４０】
遊技機設備群Ｇ４は、複数の遊技機設備６０〜６５及び７０〜７５からなるもので、各遊技機設備６０〜６５は、その各前面にて、それぞれ、各遊技機設備５０〜５５の前面に対向するように、かつ、当該各遊技機設備５０〜５５に対し並行となるように、遊技機設備６０から遊技機設備６５にかけて左側から右側へ順次並んで第１パチンコホールＨの左側床面部上に配列されている。
【００４１】
また、各遊技機設備７０〜７５は、その各前面にて第１パチンコホールＨの後方に向くように、かつ各遊技機設備６０〜６５の背面に沿い、遊技機設備７０から遊技機設備７５にかけて左側から右側へ順次並んで第１パチンコホールＨの左側床面部上に配列されている。なお、各遊技機設備７０〜７５は、各遊技機設備６０〜６５と共に、第１パチンコホールＨにおいて１つの島を構成する。
【００４２】
遊技機設備群Ｇ５は、複数の遊技機設備８０〜８５及び９０〜９５からなるもので、各遊技機設備８０〜８５は、その各前面にて、それぞれ、各遊技機設備７０〜７５の前面に対向するように、かつ、当該各遊技機設備７０〜７５に対し並行となるように、遊技機設備８０から遊技機設備８５にかけて左側から右側へ順次並んで第１パチンコホールＨの左側床面部上に配列されている。
【００４３】
また、各遊技機設備９０〜９５は、その各前面にて第１パチンコホールＨの後方に向くように、かつ、各遊技機設備８０〜８５の背面に沿うように、遊技機設備９０から遊技機設備９５にかけて左側から右側へ順次並んで第１パチンコホールＨの左側床面部上に配列されている。なお、各遊技設備台９０〜９５は、各遊技機設備８０〜８５と共に、上記一パチンコホールにおいて１つの島を構成する。
【００４４】
遊技機設備群Ｇ６は、複数の遊技機設備１００〜１０５からなるもので、当該各遊技機設備１００〜１０５は、その各前面にて、それぞれ、各遊技機設備９０〜９５の前面に対向するように、かつ、当該各遊技機設備９０〜９５に対し並行となるように、遊技機設備１００から遊技機設備１０５にかけて左側から右側へ順次並んで上第１パチンコホールＨの左側床面部上に配列されている。なお、各遊技機設備１００〜１０５は、第１パチンコホールＨにおいて１つの島を構成する。
【００４５】
遊技機設備群Ｇ７は、複数の遊技機設備１１０〜１１５からなるもので、各遊技機設備１１０〜１１５は、その各前面にて第１パチンコホールＨの後方に向くように、遊技機設備１５の右側にて、遊技機設備１１０から遊技機設備１１５にかけて左側から右側へ順次並んで第１パチンコホールＨの右側床面部上に配列されている。なお、各遊技機設備１１０〜１１５は、第１パチンコホールＨにおいて１つの島を構成する。
【００４６】
遊技機設備群Ｇ８は、複数の遊技機設備１２０〜１２５及び１３０〜１３５からなるもので、各遊技機設備１２０〜１２５は、その各前面にて、それぞれ、各遊技機設備１１０〜１１５の前面に対向するように、遊技機設備２５の右側にて、当該各遊技機設備１１０〜１１５に対し並行に遊技機設備１２０から遊技機設備１２５にかけて左側から右側へ順次並んでパチンコホールの右側床面部上に配列されている。
【００４７】
また、各遊技機設備１３０〜１３５は、その各前面にて第１パチンコホールＨの後方に向くように、遊技機設備３５の右側にて、遊技機設備１３０から遊技機設備１３５にかけて左側から右側へ順次並んで第１パチンコホールＨの右側床面部上に配列されている。なお、各遊技機設備１３０〜１３５は各遊技機設備１２０〜１２５と共に、第１パチンコホールＨにおいて１つの島を構成する。
【００４８】
遊技機設備群Ｇ９は、複数の遊技機設備１４０〜１４５及び１５０〜１５５からなるもので、各遊技機設備１４０〜１４５は、その各前面にて、それぞれ、各遊技機設備１３０〜１３５の前面に対向するように、遊技機設備４５の右側にて、当該各遊技機設備１３０〜１３５に対し並行に遊技機設備１４０から遊技機設備１４５にかけて左側から右側へ順次並んで第１パチンコホールＨの右側床面部上に配列されている。
【００４９】
また、各遊技機設備１５０〜１５５は、その各前面にて第１パチンコホールＨの後方に向くように、遊技機設備５５の右側にて、遊技機設備１５０から遊技機設備１５５にかけて左側から右側へ順次並んで第１パチンコホールＨの右側床面部上に配列されている。なお、各遊技機設備１５０〜１５５は、各遊技機設備１４０〜１４５と共に、第１パチンコホールＨにおいて１つの島を構成する。
【００５０】
遊技機設備群Ｇ１０は、複数の遊技機設備１６０〜１６５及び１７０〜１７５からなるもので、各遊技機設備１６０〜１６５は、その各前面にて、それぞれ、各遊技機設備１５０〜１５５の前面に対向するように、遊技機設備６５の右側にて、当該各遊技機設備１５０〜１５５に対し並行に遊技機設備１６０から遊技機設備１６５にかけて左側から右側へ順次並んで第１パチンコホールＨの床面の右側床面部上に配列されている。
【００５１】
また、各遊技機設備１７０〜１７５は、その各前面にて第１パチンコホールＨの後方に向くように、遊技機設備７５の右側にて、遊技機設備１７０から遊技機設備１７５にかけて左側から右側へ順次並んで第１パチンコホールＨの右側床面部上に配列されている。なお、各遊技機設備１７０〜１７５は、各遊技機設備１６０〜１６５と共に、第１パチンコホールＨにおいて１つの島を構成する。
【００５２】
遊技機設備群Ｇ１１は、複数の遊技機設備１８０〜１８５及び１９０〜１９５からなるもので、各遊技機設備１８０〜１８５は、その各前面にて、それぞれ、各遊技機設備１７０〜１７５の前面に対向するように、遊技機設備８５の右側にて、当該各遊技機設備１７０〜１７５に対し並行に遊技機設備１８０から遊技機設備１８５にかけて左側から右側へ順次並んで第１パチンコホールＨの床面の右側床面部上に配列されている。
【００５３】
また、各遊技機設備１９０〜１９５は、その各前面にて第１パチンコホールＨの後方に向くように、遊技機設備９５の右側にて、遊技機設備１９０から遊技機設備１９５にかけて左側から右側へ順次並んで第１パチンコホールＨの床面の右側床面部上に配列されている。なお、各遊技機設備１９０〜１９５は、各遊技機設備１８０〜１８５と共に、第１パチンコホールＨにおいて１つの島を構成する。
【００５４】
また、遊技機設備群Ｇ１２は、複数の遊技機設備２００〜２０５からなるもので、各遊技機設備２００〜２０５は、その各前面にて、それぞれ、各遊技機設備１９０〜１９５の前面に対向するように、遊技機設備１０５の右側にて、当該各遊技機設備１９０〜１９５に対し並行に遊技機設備２００から遊技機設備２０５にかけて左側から右側へ順次並んで第１パチンコホールＨの床面の右側床面部上に配列されている。なお、各遊技機設備２００〜２０５は、第１パチンコホールＨにおいて１つの島を構成する。
【００５５】
次に、各遊技機設備群Ｇ１〜Ｇ１２において、各遊技機設備は、共に、同一の構成を有することから、第１遊技機設備群Ｇ１の遊技機設備１０を例に挙げてその構成につき説明する。
【００５６】
当該遊技機設備１０は、図３〜図６のいずれかにて示すごとく、パチンコ台である封入式パチンコ遊技機３００と、遊技価値記録媒体処理装置４００とにより構成されている。パチンコ遊技機３００は、第１パチンコホールＨの各島のうちの遊技機設備群Ｇ１に対応する島の島設備の設置台上に設置されている。
【００５７】
遊技価値記録媒体処理装置４００は、パチンコ遊技機３００にその左側にて沿うように上記設置台上に配置されている。なお、遊技機設備１０は、パチンコ遊技機３００及び遊技価値記録媒体処理装置４００のうちの少なくとも１つ以上でもって構成されていると把握してもよい。
【００５８】
ただし、各遊技機設備群Ｇ１〜Ｇ１２において、第１パチンコホールＨの前方へ前面を向けて位置する各遊技機設備（例えば、遊技機設備２０）は、第１パチンコホールＨの後方へ前面を向けて位置する各遊技機設備（例えば、遊技機設備１０）とは異なり、遊技価値記録媒体処理装置４００がパチンコ遊技機３００にその右側にて沿うように各対応の島設備の設置台上に配置されている。
【００５９】
パチンコ遊技機３００は、機枠３００ａ、遊技機本体３００ｂ及び前扉３００ｃを備えている。機枠３００ａは、外枠ともいわれるもので、この機枠３００ａは、対応の島設備の設置台上に立設されている。当該機枠３００ａは、図５にて例示するごとく、左右両側枠板３１０ａ、３１０ｂ及び上下両側枠板３１０ｃ、３１０ｄでもって、矩形状に構成されている。なお、パチンコ遊技機３００は、電源ＰＳ１（図７参照）により給電されて作動状態になる。
また、当該機枠３００ａは、図５にて示すごとく、上側ヒンジ３１１、下側ヒンジ３１２及び中側ヒンジ３１３を備えており、これら上側、下側及び中側のヒンジ３１１〜１１３は、共に、金属板でもって形成されている。
【００６０】
上側ヒンジ３１１は、後述のごとく、下側ヒンジ３１２と共に、遊技機本体３００ｂの左縁部を支持し、かつ、中側ヒンジ３１３と共に、前扉３００ｃの左縁部を支持する役割を果たすもので、当該上側ヒンジ３１１は、その幅方向において、機枠３００ａの上側枠板３１０ｃの長手方向に沿うように、上側枠板３１０ｃの左端部から前方へ延出している。
【００６１】
ここで、上側ヒンジ３１１は、その基端部にて、上側枠板３１０ｃの左端切り欠き部内に配設されており、当該上側ヒンジ３１１の基端部は、その左縁部にて、上側枠板３１０ｃの左端切り欠き部内上面と左側枠板３１０ａの上端面との間に挟持されている。しかして、当該上側ヒンジ３１１は、その基端部から前方へ延出している。なお、上側枠板３１０ｃの左端切り欠き部は、上側枠板３１０ｃの左端部をその下側から上方へＬ字状に切り欠くことで形成されている。
【００６２】
下側ヒンジ３１２は、その幅方向において、機枠３００ａの下側枠板３１０ｄの長手方向に沿うように位置して、下側枠板３１０ｄの左端部から前方へ延出している。ここで、下側ヒンジ３１２は、その基端部の左縁部にて、下側枠板３１０ｄの左端部と左側枠板３１０ａの下端部との間に挟持されており、当該下側ヒンジ３１２は、その基端部から上側ヒンジ３１１に平行に対向するように前方へ延出している。
【００６３】
また、中側ヒンジ３１３は、前扉３００ｃの左縁下端部に対応する位置にて、機枠３００ａの左側枠板３１０ａの長手方向中間部位から上下両側ヒンジ３１１３１２の間にてこれら上側ヒンジ３１１及び下側ヒンジ３１２に平行となるように延出している。
【００６４】
ここで、当該中側ヒンジ３１３は、その基端部の左縁部にて、左側枠板３１０ａの長手方向中間部位に形成した溝部に嵌着されており、当該中側ヒンジ３１３は、その基端部から前方へ延出している。これにより、中側ヒンジ３１３は、上側ヒンジ３１１の直下に位置し、かつ下側ヒンジ３１２の直上に位置している。なお。左側枠板３１０ａの上記溝部は、当該左側枠板３１０ａの上記長手方向中間部位をその右側からコ字状に切り欠くことで形成されている。
【００６５】
遊技機本体３００ｂは、図５或いは図６にて例示するごとく、本体枠３２０及び遊技盤３３０を備えている。本体枠３２０は、中枠或いは内枠ともいわれるもので、当該本体枠３２０は、機枠３００ａ内に前後方向に開閉可能に組み付けられている。
【００６６】
当該本体枠３２０は、左右両側枠板３２０ａ、３２０ｂ、上下両側枠板３２０ｃ、３２０ｄ及び背板３２０ｅを備えており、左側枠板３２０ａ、右側枠板３２０ｂ、上側枠板３２０ｃ及び下側枠板３２０ｄは、図５にて示すごとく、互いに矩形枠状に組み付けられている。
【００６７】
背板３２０ｅは、左側枠板３２０ａ、右側枠板３２０ｂ、上側枠板３２０ｃ及び下側枠板３２０ｄの間の中空部内に組み付けられており、この背板３２０ｅは、その板厚方向にて、左側枠板３２０ａ、右側枠板３２０ｂ及び上側枠板３２０ｃの各幅方向に沿うように、左側枠板３２０ａ、右側枠板３２０ｂ、上側枠板３２０ｃ及び下側枠板３２０ｄの各後縁部に嵌装されることで、左側枠板３２０ａ、右側枠板３２０ｂ、上側枠板３２０ｃ及び下側枠板３２０ｄに組み付けられている。
【００６８】
また、当該本体枠３２０は、上側ヒンジ３２１及び下側ヒンジ３２２を備えており、上側ヒンジ３２１は、その幅方向において、本体枠３２０の上側枠板３２０ｃの長手方向に沿うように位置して、上側枠板３２０ｃの左縁部から前方へ延出している。ここで、上側ヒンジ３２１は、その基端部にて、上側枠板３２０ｃの左端部上に取り付けられており、当該上側ヒンジ３２１は、その基端部から、機枠３３０ａの上側ヒンジ３１１にその直下から沿うように、前方へ延出して、機枠３１０ａの上側ヒンジ３１１にその直下から対向可能となっている。。
【００６９】
下側ヒンジ３２２は、その幅方向において、本体枠３２０の下側枠板３２０ｄの長手方向に沿うように位置して、下側枠板３２０ｄの左縁下端部から前方へ延出している。ここで、当該下側ヒンジ３２２は、その基端部にて、下側枠板３２０ｄの左縁下端部にその下面側から取り付けられており、当該下側ヒンジ３２２は、その基端部から前方へ延出して、上側ヒンジ３２１に平行に対向しかつ機枠３３０ａの下側ヒンジ３１２にその直上から沿うように位置している。
【００７０】
しかして、このように構成した本体枠３２０は、機枠３００ａに対し次のようにして組み付けられる。
【００７１】
即ち、本体枠３２０は、その左側枠板３２０ａ、右側枠板３２０ｂ、上側枠板３２０ｃ及び下側枠板３２０ｄの各外面にて、それぞれ、機枠３００ａの左側枠板３１０ａ、右側枠板３１０ｂ、上側枠板３１０ｃ及び下側枠板３１０ｄの各内面に沿うように、機枠３００ａ内に嵌装される。
【００７２】
これに伴い、本体枠３２０の上側ヒンジ３２１が、その上面にて、機枠３００ａの上側ヒンジ３３１の下面に沿い重畳されるように位置し、本体枠３２０の下側ヒンジ３２２が、その下面にて、機枠３００ａの下側ヒンジ３１２の上面に沿い重畳されるように位置する。
【００７３】
このような状態にて、本体枠３２０の上側ヒンジ３２１が、後述のごとく、機枠３００ａの上側ヒンジ３３１に前後方向に回動可能に支持されるとともに、本体枠３２０の下側ヒンジ３２２が、後述のごとく、機枠３００ａの下側ヒンジ３１２に前後方向に回動可能に支持される。このことは、本体枠３２０は、その左側枠板３２０ａにて、機枠３００ａの左側枠板３１０ａに対し前後方向に開閉可能にヒンジ連結されることを意味する。
【００７４】
しかして、このように機枠３００ａに組み付けられた本体枠３２０は、その閉状態では、機枠３３０ａ内に位置している。また、当該本体枠３２０を開くときには、当該本体枠３２０は、その左側枠板３２０ａを基準として、機枠３３０ａの内部から前方へ回動する。なお、本体枠３２０の下側枠板３２０ｄの左縁部のうち、機枠３００ａの中側ヒンジ３１３に対する対応部位には、切り欠き部３２４（図５参照）が形成されている。これにより、本体枠３２０を機枠３００ａに対し閉じたとき、中側ヒンジ３１３が、切り欠き部３２４に挿通されて、本体枠３２０と干渉しないようになっている。
【００７５】
遊技盤３３０は、本体枠３２０の内部、即ち、左側枠板３２０ａ、右側枠板３２０ｂ、上側枠板３２０ｃ及び下側枠板３２０で構成される中空部内にその前面側から嵌装されて背板３２０ｅに沿い組み付けられており、当該遊技盤３３０は、その盤面３３１（図５参照）にて、前方を臨んでいる。
【００７６】
遊技機本体３００ｂは、案内レール３３２、環状の装飾構造体３３３、液晶表示装置３３４、始動入賞口装置３３５や大入賞口装置３３６等の各種入賞口装置及び図示しない電動チューリップ、ゲート、風車その他の各盤面部品を備えている。
【００７７】
案内レール３３２は、遊技盤３３０の盤面３３１に組み付けられており、当該案内レール３３２は、その内周側にて、盤面３３１上に遊技領域３３１ａを構成する。なお、案内レール３３２の最下端部の直上には、アウト口３３１ｂ（排出口３３１ｂ）が形成されている。このアウト口３３１ｂは、遊技盤３３０の盤面３３１に沿い転動して案内レール３３２の最下端部に達する遊技球を遊技盤３３０の後側へ排出する。また、アウト口３３１ｂを通り排出される遊技球は、アウト口３３１ｂ内に設けた排出センサＳ１（図７参照）により検出される。
【００７８】
環状の装飾構造体３３３は、遊技盤３３０の開口部（図示しない）にその外周部に沿い前面側から組み付けられている。液晶表示装置３３４は、装飾構造体３３３の内側にて、遊技盤３３０の上記開口部に本体枠３２０の矩形状開口部を介し嵌装して組み付けられている。
【００７９】
始動入賞口装置３３５及び大入賞口装置３３６は、装飾構造体３３３の直下にて、遊技盤３３０の盤面３３１に組み付けられている。上記電動チューリップ、ゲート、風車は、遊技盤３３０の盤面３３１に分散して組み付けられている。なお、遊技盤３３０の盤面３３１には、その遊技領域３３１ａに亘り、多数の遊技釘（図示しない）が、分散して打ち込まれている。
【００８０】
また、遊技機本体３００ｂは、遊技制御装置３４０（図７参照）を備えており、この遊技制御装置３４０は、遊技盤３３０の背面に本体枠３２０の背板３２０ｅの開口部３２３（図５参照）を介し組み付けられている（図４参照）。
【００８１】
しかして、当該遊技制御装置３４０は、マイクロコンピュータからなるもので、このマイクロコンピュータである遊技制御装置３４０は、図８及び図９〜図１１にて示すフローチャートに従い遊技処理プログラムを実行する。なお、上記遊技処理プログラムは、遊技制御装置３４０の記憶素子であるＲＯＭに予め読み出し可能に記憶されている。
【００８２】
また、遊技機本体３００ｂは、図５或いは図６にて示すごとく、ハンドル３５０を備えており、このハンドル３５０は、本体枠３２０の下側枠板３２０ｄの右下隅角部にその前面側から左右方向に回動操作可能に支持されている。このハンドル３５０は、球発射制御機構３５０ａ（図７参照）と共に、球発射装置を構成するもので、当該球発射制御機構３５０ａは、本体枠３２０の下側枠板３２０ｄの右下隅角部にその背面側から組み付けられている。
【００８３】
しかして、上記球発射装置によれば、球発射制御機構３５０ａは、ハンドル３５０の回動操作に伴い、受け皿（図示しない）から供給される遊技球を、案内レール３３２を介し遊技盤３３０の盤面３３１の遊技領域３３１ａに向けて発射するように構成されている。また、当該球発射制御機構３５０ａは、遊技制御装置３４０による制御のもと、遊技球の発射を停止する。なお、上記受け皿は、遊技機本体３００ｂ内にて遊技者の視認可能な位置に設けられている。
【００８４】
前扉３００ｃは、前枠ともいわれるもので、当該前扉３００ｃは、図３、図４或いは図６にて示すごとく、遊技盤本体３００ｂ及び機枠３００ａに対し前後方向に開閉可能に支持されている。
【００８５】
当該前扉３００ｃは、窓枠３６０及びガラス板３７０を備えている。窓枠３６０は、その左縁上下両側端部にて、本体枠３２０の上側ヒンジ３２１及び下側ヒンジ３２２の間に挿入されて、本体枠３２０及び機枠３００ａの各上側ヒンジ３２１、３１１及び本体枠３２０の切り欠き部３２４を介し前方へ延出する機枠３００ａの中側ヒンジ３１３にそれぞれ前後方向に回動可能に支持されている。このことは、前扉３００ｃが、その左縁部にて、本体枠３２０及び機枠３００ａの各左縁部に前後方向に開閉可能にヒンジ連結されていることを意味する。
【００８６】
ここで、窓枠３６０の左縁上側端部の各上側ヒンジ３２１、３１１に対する回動可能な支持及び窓枠３６０の左縁下側端部の中側ヒンジ３１３に対する回動可能な支持は、次のようにしてなされている。
【００８７】
上述のように窓枠３６０が、その左縁上下両側端部にて、本体枠３２０の上側ヒンジ３２１及び下側ヒンジ３２２の間に挿入されることで、窓枠３６０の左縁上側端部は、本体枠３２０の上側ヒンジ３２１にその直下から重畳されるとともに、窓枠３６０の左縁下側端部は、機枠３００ａの中側ヒンジ３１３にその直上から重畳される。
【００８８】
換言すれば、機枠３００ａの上側ヒンジ３１１が本体枠３２０の上側ヒンジ３２１の直上から当該上側ヒンジ３２１を介し窓枠３６０の左縁上側端部上に重畳されるとともに、機枠３００ａの中側ヒンジ３１３が、窓枠３６０の左縁下側端部にその直下から重畳される。
【００８９】
然る後、ピン状上側軸（図示しない）が、機枠３００ａの上側ヒンジ３１１及び本体枠３２０の上側ヒンジ３２１に形成した各貫通孔部３１１ａ、３２１ａに挿通されて窓枠３６０の左縁上側端部に支持される。また、ピン状下側軸（図示しない）が、機枠３００ａの中側ヒンジ３１３に形成した貫通孔部３１３ａに挿通されて窓枠３６０の左縁下側端部に支持される。これにより、窓枠３６０は、上記ピン状上下両側軸を基準として、本体枠３２０に対し回動可能に支持され、かつ機枠３００ａに対し回動可能に支持される。なお、ガラス板３７０は、窓枠３６０の中空部に嵌装されて、遊技盤３３０を透視可能にしている。また、前扉３００ｃは、窓枠３６０の右端部にて、施錠機構（図示しない）により、本体枠３２０の右端部に施錠可能となっている。なお、図３において、符号ＢＴは、押しボタンスイッチを示す。
【００９０】
遊技価値記録媒体処理装置４００は、図３〜図６のいずれかにて示すごとく、パチンコ遊技機３００の左側にてこのパチンコ遊技機３００に沿い付設されているもので、当該遊技価値記録媒体処理装置４００は、処理装置本体４００ａと、操作表示回動部材４００ｂとにより構成されている。なお、遊技価値記録媒体処理装置４００は、電源ＰＳ２（図７参照）により給電されて作動状態になる。
【００９１】
処理装置本体４００ａは、その前部にて、パチンコ遊技機３００の前扉３００ｃの左縁部に隣接するように、パチンコ遊技機３００に付設されている。この処理装置本体４００ａは、両挿入部４１０ａ、４１０ｂを有しており、当該両挿入部４１０ａ、４１０ｂは、処理装置本体４００ａの前方へ開口するように当該処理装置本体４００ａにその前部側から形成されている。本実施形態において、挿入部４１０ａは、プリペイドカードであるＩＣカードを挿入するためのものであり、一方、挿入部４１０ｂは、現金を挿入するためのものである。
【００９２】
また、処理装置本体４００ａは、図７にて示すごとく、現金識別機４２０、カードリーダライター４３０（以下、Ｒ／Ｗ４３０ともいう）、処理制御装置４４０及び認証制御装置４５０を有しており、これら現金識別機４２０、Ｒ／Ｗ４３０、処理制御装置４４０及び認証制御装置４５０は、処理装置本体４００ａに内蔵されている。
【００９３】
現金識別機４２０は、挿入部４１０ｂに挿入された紙幣やコインを識別するものである。Ｒ／Ｗ４３０は、挿入部４１０ａに挿入されたプリぺイドカードであるＩＣカードの記憶データの読み出しや当該ＩＣカードへのデータの書き込みを行うものである。なお、Ｒ／Ｗ４３０は、挿入部４１０ａへのＩＣカードの挿入を検出して、検出結果を処理制御装置４４０に出力する。
【００９４】
処理制御装置４４０は、マイクロコンピュータからなるもので、このマイクロコンピュータである処理制御装置４４０は、図１１〜図１３にて示すフローチャートに従い、カード処理プログラムを実行し、この実行中において、現金識別機４２０、Ｒ／Ｗ４３０或いはタッチパネル４６０からの出力に応じて種々の処理を行う。なお、上記カード処理プログラムは、処理制御装置４４０の記憶素子であるＲＯＭに予め読み出し可能に記憶されている。
【００９５】
また、認証制御装置４５０は、パチンコ遊技機３００の遊技制御装置３４０からの出力データにその改竄防止のための電子認証を付して、電子認証付き出力データとしてブラックボックスサーバＢＳに出力するように構成されている。
【００９６】
操作表示回動部材４００ｂは、本体枠３２０の下側枠板３２０ｄ或いは処理装置本体４００ａに形成した前側切り欠き部及び本体枠３２０の下側枠板３２０ｄの双方を開放可能とするように構成されている。なお、処理装置本体４００ａの上記前側切り欠き部は、処理装置本体４００ａの前側下部をその前面側から後方へコ字状に切り欠くことで形成されている。
【００９７】
当該操作表示回動部材４００ｂは、両回動部４２０、４３０及びタッチパネル部４６０を備えている。回動部４２０は、その回動基端部にて、基軸（図示しない）により、処理装置本体４００ａの上記前側切り欠き部内左端部内に前後方向に回動可能に支持されており、当該回動部４２０は、その回動基端部から回動部４３０側へ延出している。なお、当該回動部４２０のその回動基端部からの延出長さは、処理装置本体４００ａの前側下部の左右方向幅に対応する。
【００９８】
回動部４３０は、その回動基端部にて、中間軸４３１を介し回動部４２０の延出端部に前後方向に相対回動可能となるように連結されており、当該回動部４３０は、その回動基端部から延出している。
【００９９】
ここで、回動部４３０は、本体枠３２０の下側枠板３２０ｄのうちハンドル３５０に対する対応部位を除くように、Ｌ字状に形成されている。また、回動部４３０は、機枠３００ａの中側ヒンジ３１３と本体枠３２０の下側ヒンジ３２２との間の間隔に対応する上下方向幅を有する。なお、中間軸４３１は、その軸方向両側端部にて、回動部４２０の延出端部に設けたコ字状フランジ４３１ａの上下両側腕部に形成した各貫通孔部内に回動可能に支持されている。
【０１００】
このように構成した操作表示回動部材４００ｂによれば、回動部４２０が処理装置本体４００ａの前側下部を上記前側切り欠き部にてその前面側から閉じるとともに、回動部４３０が本体枠３２０の下側枠板３２０ｄをその前面側から閉じている状態にあるとき、回動部４３０の回動基端部は、機枠３００ａの中側ヒンジ３１３と本体枠３２０の下側ヒンジ３１２との間に嵌まり込むとともに、中間軸４３１が、その軸方向上側端部にて、機枠３００ａの中側ヒンジ３１３の貫通孔部３１３ａに係脱可能に支持され、かつ、軸方向下側端部にて、本体枠３２０の下側ヒンジ３１２の貫通孔部３２２ａ及び機枠３００ａの下側ヒンジ３１２の貫通孔部３１２ａに係脱可能に支持されている。
【０１０１】
このことは、操作表示回動部材４００ｂが、回動部４３０にて、中間軸４３１にて、遊技機本体３００ｂ及び前扉３００ｃと同軸的にかつ回動可能に支持されることを意味する。
【０１０２】
ここで、上述のような中間軸４３１の軸方向上下両側端部の中側ヒンジ３１３の貫通孔部３１３ａ及び両下側ヒンジ３２２、３１２の各貫通孔部３２２ａ、３１２ａに対する係脱可能な支持は、次のような構成のもとになされる。
【０１０３】
円筒状上側キャップ部（図示しない）が一側コイルスプリング（図示しない）を介し中間軸４３１の軸方向上側端部に同軸的に変位可能に嵌装されており、一方、円筒状下側キャップ部（図示しない）が他側コイルスプリング（図示しない）を介し中間軸４３１の軸方向下側端部に同軸的に変位可能に嵌装されている。
【０１０４】
しかして、上記上側キャップ部が、上記一側コイルスプリングに抗して中間軸４３１の軸方向上側端部に向けて同軸的に押動されて下方へ変位することで、機枠３００ａの中側ヒンジ３１３の貫通孔部３１３ａ内にその直下から係脱可能となり、また、上記下側キャップ部が、上記他側コイルスプリングに抗して中間軸４３１の軸方向下側端部に向けて同軸的に押動されて上方へ変位することで、両下側ヒンジ３２２、３１２の各貫通孔部３２２ａ、３１２ａ内にその直上から係脱可能となる。
【０１０５】
このような構成のもと、上記上側キャップ部を上記一側コイルスプリングに抗して中間軸４３１の軸方向上側端部に向けて同軸的に押動して下方へ変位させるとともに、上記下側キャップ部を上記他側コイルスプリングに抗して中間軸４３１の軸方向下側端部に向けて同軸的に押動して上方へ変位させた状態にする。
【０１０６】
然る後、回動部４３０をその回動基端部にて上記上下両側キャップ部と共に機枠３００ａの中側ヒンジ３１３の貫通孔部３１３ａと本体枠３２０の下側ヒンジ３２２の貫通孔部３２２ａとの間に挿入しつつ上述した上下両側キャップ部に対する押動を解除する。
【０１０７】
これに伴い、当該上下両側キャップ部が、上記一側及び他側のコイルスプリングの作用のもとに、貫通孔部３１３ａ及び両貫通孔部３２２ａ、３１２ａを通り上下方向に向けて変位して原位置に復帰する。すると、中間軸４３１が、その軸方向上側端部にて、上記上側キャップ部を介し機枠３００ａの中側ヒンジ３１３の貫通孔軸３１３ａに係脱可能に支持され、かつ、軸方向下側端部にて、上記下側キャップ部を介し本体枠３２０の下側ヒンジ３２２の貫通孔部３２２ａ及び機枠３００ａの下側ヒンジ３１２の貫通孔部３１２ａに係脱可能に支持される。
【０１０８】
また、このような状態にて、上記上側キャップ部を上記一側コイルスプリングに抗して中間軸４３１の軸方向上側端部に向けて同軸的に押動して下方へ変位させるとともに、上記下側キャップ部を上記他側コイルスプリングに抗して中間軸４３１の軸方向下側端部に向けて同軸的に押動して上方へ変位させつつ、回動部４３０をその回動基端部にて機枠３００ａの中側ヒンジ３１３と本体枠３２０の下側ヒンジ３１２との間から解放する。
【０１０９】
これに伴い、中間軸４３１が、その軸方向上側端部にて、上記上側キャップ部と共に、機枠３００ａの中側ヒンジ３１３の貫通孔軸３１３ａから脱出し、かつ、軸方向下側端部にて、上記下側キャップ部と共に、本体枠３２０の下側ヒンジ３１２の貫通孔部３２２ａ及び機枠３００ａの下側ヒンジ３１２の貫通孔部３１２ａから脱出する。このことは、操作表示回動部材４００ｂが、回動部４３０にて、中間軸４３１を介する遊技機本体３００ｂとの支持を解除されることを意味する。
【０１１０】
タッチパネル部４６０は、回動部４３０の収容部４３２の開口部４３２ａ内に嵌装されており、当該タッチパネル部４６０は、操作部及び表示部としての役割を果たす。ここで、収容部４３２は、回動部４３０の中間部位から前方へ箱状に突出形成されており、当該収容部４３２の開口部４３２ａは、前側上方へ傾斜状に対向している。これに伴い、タッチパネル部４６０は、その表示面にて、開口部４３２ａ内にて前側上方へ傾斜状に対向する。
【０１１１】
これにより、タッチパネル部４６０は、パチンコ遊技機１０の前側にて椅子（図示しない）に着座した遊技者により視認され易くかつ操作され易い位置に維持される。また、当該タッチパネル部４６０は、処理制御装置４４０からの表示データを表示し、或いは、操作出力を遊技制御装置３４０に出力するようになっている。
【０１１２】
ここで、当該タッチパネル部４６０は、パチンコ遊技機３００による遊技を終了するとき押動操作される遊技終了ボタン部（図示しない）及び遊技価値記録媒体処理装置４００の挿入部４１０ａに挿入済みのＩＣカードを当該挿入部４１０ａから排出するとき押動操作されるカード排出ボタン部（図示しない）を有する。
【０１１３】
しかして、タッチパネル部４６０は、上記遊技終了ボタン部の押動操作により、遊技終了信号を発生するとともに、上記カード排出ボタン部の押動操作により、カード排出信号を発生する。
【０１１４】
なお、回動部材４００ｂは、回動部４３０の延出端部にて、本体枠３２０の下側枠板３２０ｄの右端部に図示しない他の施錠機構（図示しない）により施錠可能となっている。また、第１パチンコホールＨ内の残りの各遊技機設備１１〜２０５も、遊技機設備１０と同様に、パチンコ遊技機３００及び遊技価値記録媒体処理装置４００でもって構成されている。
【０１１５】
ホールサーバＨＳは、第１パチンコホールＨ内に配設されており、当該ホールサーバＨＳは、第１パチンコホールＨ内における売り上げ、換言すれば、第１遊技場システムＧＳの各遊技機設備１０〜２０５による遊技者の遊技に伴う売り上げを管理する売り上げ管理サーバとしての役割を果たす。
【０１１６】
しかして、当該ホールサーバＨＳは、ホールサーバプログラムを図示しないフローチャートに従い実行し、この実行中において、各遊技機設備１０〜２０５の遊技価値記録媒体処理装置４００の処理制御装置４４０から遊技データを入力されて、当該各遊技データに基づき各遊技機設備１０〜２０５による売り上げを算出して遊技機設備毎の売り上げデータ及び全遊技機設備の総売り上げデータを、日毎に管理する。
【０１１７】
ブラックボックスサーバＢＳは、第１パチンコホールＨ内にて独立的に配設されており、このブラックボックスサーバＢＳは、所定のブラックボックスサーバプログラムを図示しないフローチャートに応じて実行する。この実行中において、当該ブラックボックスサーバＢＳは、第１パチンコホールＨ内の各遊技機設備１０〜２０５の遊技価値記録媒体処理装置４００によりその認証制御装置４５０から各電子認証付き出力データを入力されて第１パチンコホールＨの営業時間の終了毎に当該各電子認証付き出力データをインターネットＩＮに送信するようになっている。
【０１１８】
本実施形態では、当該ブラックボックスサーバＢＳは、その内部データの改竄等を不能にするように、例えば、封印済みのケーシング（図示しない）内に収容されている。従って、上記ケーシングの封印が解除されたとき、ブラックボックスサーバＢＳにおける電子認証付き出力データの改竄の意図が察知され得る。なお、残りの第２〜第１０のパチンコホールＨにおいても、第１パチンコホールＨ内の第１遊技場システムＧＳと同様の構成を有する。
【０１１９】
以上のように構成した本実施形態において、上記売り上げ管理ウェブシステムでは、第１〜第１０のパチンコホールＨ内の各遊技場システム（各第１〜第１０の遊技場システムＧＳ）において、複数の遊技機設備群Ｇ１〜Ｇ１２、ブラックボックスサーバＢＳ及びホールサーバＨＳは、それぞれ、作動状態におかれるものとする。
【０１２０】
これに伴い、パチンコホールＨ毎に、ホールサーバＨＳは、上記ホールサーバプログラムを上記所定のフローチャートに従い実行を開始し、ブラックボックスサーバＢＳは、上記ブラックボックスサーバを上記所定のフローチャートに従い実行を開始する。また、パチンコホールＨ毎に、全遊技機設備群Ｇ１〜Ｇ１２の各遊技機設備は、そのパチンコ遊技機の遊技制御装置３４０により、図８〜図１０のフローチャートに従い、上記遊技処理プログラムの実行を開始し、また、遊技価値記録媒体処理装置４００の処理制御装置４４０により、図１１〜図１３のフローチャートに従い、カード処理プログラムの実行を開始する。
【０１２１】
しかして、まず、第１〜第１０のパチンコホールＨの全遊技場システム（第１〜第１０の遊技場システムＧＳ）のうちの一遊技機設備を例にとり説明する。ここでは、第１遊技場システムＧＳにおける遊技機設備群Ｇ１の遊技機設備１０による各遊技者の遊技に対する処理について説明する。なお、当該各遊技者は、第１パチンコホールＨの営業時間の経過に従い順次変わっていくものとする。また、当該各遊技者は、遊技機設備１０により遊技をするために、順次、当該遊技機設備１０の前の椅子に着座するものとする。
【０１２２】
ここで、第１遊技場システムＧＳの遊技機設備１０において、ＩＣカード及び現金が遊技価値記録媒体処理装置４００の挿入部１０ａ及び挿入部１０ｂにそれぞれ挿入されていなければ、上述のようにカード処理プログラムが実行開始済みであることから、遊技価値記録媒体処理装置４００の処理制御装置４４０は、図１１のステップ７００においてＮＯとの判定を繰り返している。
【０１２３】
このような状態において、遊技機設備１０用椅子に着座した最初の遊技者が、その所有のプリペイドカードであるＩＣカードを、遊技機設備１０の遊技価値記録媒体処理装置４００の挿入部４１０ａに挿入すると、この挿入がＲ／Ｗ４３０により検出される。これに伴い、処理制御装置４４０は、Ｒ／Ｗ４３０によるＩＣカードの挿入検出結果に基づき、ステップ７００においてＹＥＳと判定する。なお、当該ＩＣカードには、上記最初の遊技者の所有持ち球数が書き込みデータとして書き込まれているものとする。
【０１２４】
ステップ７００におけるＹＥＳとの判定に伴い、次のステップ７０１において読み出し指令処理がなされる。この読み出し指令処理では、Ｒ／Ｗ４３０が、処理制御装置４４０から読み出し指令を受けて上記ＩＣカードの書き込みデータを読み出す。すると、当該書き込みデータが、ステップ７０２における読み込み処理において、Ｒ／Ｗ４３０から読み込まれる。
【０１２５】
然る後、ステップ７０３における球貸し出し数演算処理において、貸し出し球数が、上述のようにＲ／Ｗ４３０から読み込まれた書き込みデータの所有持ち球数に基づき演算される。すると、次のステップ７０４におけるホールサーバへの球貸し出し数データの出力処理において、当該演算貸し出し球数が、処理制御装置４４０によって、ホールサーバＨＳに対し球貸し出し数データとして出力され、ついで、ステップ７０５における遊技制御装置への球払い出し指令処理において、当該球貸し出し数データに基づく遊技球を払い出すように、処理制御装置４４０によって、遊技機設備１０のパチンコ遊技機３００の遊技制御装置３４０に対して指令される。
【０１２６】
ステップ７０５の処理後、次のステップ７０６において、残金フラグＦａがＦａ＝０とクリアされるとともに、持ち球フラグＦｂがＦｂ＝０とクリアされる。なお、残金フラグＦａ＝０は、現段階において、遊技のための残金がないこと表す。また、持ち球フラグＦｂ＝０は、現段階において、遊技に伴い生ずる持ち球はないことを表す。
【０１２７】
然る後、ステップ７１０において、現金があるか否かが判定される。現段階においては、ステップ７０６におけるＦａ＝０に基づき、ステップ７１０における判定はＮＯとなる。なお、残金があれば、ステップ７１０における判定はＹＥＳとなり、ステップ７１１において、残金フラグＦａがＦａ＝１とセットされる。
【０１２８】
ついで、ステップ７２０において、持ち球ありか否かが判定される。現段階において、上記最初の遊技者は、現段階では未だ遊技しておらず、遊技により獲得した持ち球を有していないことから、ステップ７０６において、Ｆｂ＝０となっている。このため、ステップ７２０における判定はＮＯとなる。
【０１２９】
なお、上記最初の遊技者が、例えば、第１パチンコホールＨ内において他の遊技機設備のパチンコ遊技機３００による遊技から遊技機設備１０のパチンコ遊技機３００による遊技に変更した場合に、遊技により獲得した持ち球を有していれば、ステップ７２０においてＹＥＳと判定されて、次のステップ７２１において、持ち球フラグＦｂが、Ｆｂ＝１とセットされる。
【０１３０】
然る後、ステップ７３０において、書き込みデータがあるか否かが判定される。現段階において、上記最初の遊技者が、遊技機設備１０のパチンコ遊技機３００によっては未だ遊技しておらず、挿入部１０ａに挿入済みのＩＣカードに対し書き込むべきデータがないことから、ステップ７３０における判定はＮＯとなる。これに伴い、カード処理プログラムは、図１１のリターンステップに進む。
【０１３１】
一方、ステップ７０５において、上述のように第１パチンコホールＨ内の遊技機設備１０におけるパチンコ遊技機３００の遊技制御装置３４０に対して球払い出し指令処理がなされると、上記遊技処理プログラムの実行が上述のごとく開始済みであることから、遊技制御装置３４０が、図８の初期処理ルーチン５００において、上記球貸し出し数データの球貸し出し数に基づく遊技球を払い出す処理を実行する。これに伴い、当該球貸し出し数の遊技球が、パチンコ遊技機３００に内蔵の受け皿内に払い出される。
【０１３２】
然る後、上記最初の遊技者が当該パチンコ遊技機３００のハンドル３５０を操作すると、球発射制御機構３５０ａが、ハンドル３５０の回動に応じて上述のように払い出された遊技球を順次当該パチンコ遊技機３００の案内レール３３２を介し遊技盤３３０の遊技領域３３１ａ内に向けて発射する。すると、このように発射された遊技球は、遊技領域３３１に沿い各遊技釘を介し下方に向けて転動していく。このような転動過程においては、各遊技球が、順次、ゲートを通過したり、風車を介し、始動入賞口装置３３５、大入賞口装置３３６や電動チューリップに入賞したりする。
【０１３３】
初期処理ルーチン５００の処理後、次の始動口・ゲート処理ルーチン５１０の処理がなされる。上述のように各遊技球が、始動入賞口装置３３５に入賞したり、ゲートを通過したりすると、遊技球の始動入賞口装置３３５への入賞数やゲートの通過数に応じた抽選処理や保留処理がなされる。
【０１３４】
ついで、賞球処理ルーチン５２０において、上述した始動入賞口装置３３５への遊技球の入賞数や遊技球のゲート通過数に応じた抽選処理に伴う賞球処理がなされる。この賞球処理に伴い、次の球払い出し処理ルーチン５３０において、上述の賞球処理に基づく遊技球の払い出しがなされる。
【０１３５】
然る後、次の図柄処理ルーチン５４０において、特別図柄処理や普通図柄処理がなされる。上述した始動入賞口装置３３５への入賞に伴う大当たり遊技中であれば、特別図柄処理において、当該各パチンコ遊技機３００の遊技盤３３０に設けた液晶表示装置３３４により特別図柄の変動処理がなされる。また、上述した電動チューリップの入賞口への遊技球の入賞に伴う当たり遊技中であれば、普通図柄処理において、普通図柄の変動処理がなされる。
【０１３６】
図柄処理ルーチン５４０の処理後、当たり遊技処理ルーチン５５０において、大当たり処理や電動チューリップへの入賞処理がなされる。現段階において、大当たり等の遊技中であれば、大当たり処理において、大入賞口装置３３６の開閉処理が所定条件のもとになされて多数の遊技球が大入賞口装置３３６の入賞口に入賞する。また、確変や時短の遊技中であれば、電動チューリップ入賞処理において、電動チューリップの開閉処理が所定の条件のもとになされて遊技球が電動チューリップの入賞口に入賞する。
【０１３７】
このようにして当たり遊技処理ルーチン５５０の処理が終了すると、次の出力データセット処理ルーチン５６０の処理がなされる（図８及び図９参照）。当該出力データセット処理ルーチン５６０においては、図９のステップ５６１において、始動口・ゲート処理ルーチン５１０〜当たり処理ルーチン５５０において処理されて出力すべきデータがあるか否かが判定される。ここで、出力すべきデータがあれば、ステップ５６１においてＹＥＳとの判定がなされる。
【０１３８】
すると、この判定に伴い、次のステップ５６２における出力データセット処理において、始動口・ゲート処理ルーチン５１０〜当たり処理ルーチン５５０において処理されて出力すべきデータが、遊技機設備１０のパチンコ遊技機３００の遊技機番号「ＮＯ．１０」及び当該パチンコ遊技機３００による現実の遊技日時「○○年●●月△△日▲▲時□□分■■秒」の双方を付されて遊技日時番号付き遊技データとして遊技価値記録媒体処理装置４００の処理制御装置４４０に出力すべく、既にセット済みの遊技日時番号付き遊技データに加えてセットされる。
【０１３９】
本実施形態では、第１パチンコホールＨ内の遊技機設備１０のパチンコ遊技機３００の遊技機番号は、対応の遊技機設備１０の符号「１０」とする。第１パチンコホールＨ内の残りの各遊技機設備１１〜２０５の各パチンコ遊技機３００の遊技機番号は、対応の遊技機設備の符号とする。例えば、遊技機設備１１のパチンコ遊技機３００の遊技機番号は、遊技機設備１１の符号「１１」とする。
【０１４０】
また、当該遊技日時番号付き遊技データは、第１遊技場システムＧＳにおける遊技機設備群Ｇ１の遊技機設備１０による遊技者の上記現実の遊技日時における遊技に基づく貸し出し球数、消費球数、入賞払い出し球数及び残り球数でもって構成される。
【０１４１】
上述のように出力データセット処理ルーチン５６０の処理が終了すると、次のステップ５７０において遊技終了か否かが判定される。現段階において、タッチパネル部４６０の遊技終了ボタン部がタッチによる押動操作されておらず、遊技終了信号を発生していなければ、遊技終了ではないことから、ステップ５７０における判定はＮＯと判定される。
【０１４２】
これに伴い、再度、始動口・ゲート処理ルーチン５１０〜５６０の処理が繰り返される。ここで、ステップ５６２における出力データセット処理において、始動口・ゲート処理ルーチン５１０〜当たり処理ルーチン５５０において処理されて出力すべきデータが、先回よりも遅い遊技日時において、遊技機設備１０のパチンコ遊技機３００の遊技機番号「ＮＯ．１０」及びパチンコ遊技機３００による上記先回よりも遅い遊技日時の双方を付されて後続の遊技日時番号付き遊技データとして遊技価値記録媒体処理装置４００の処理制御装置４４０に出力すべくセットされる。
【０１４３】
ここで、当該後続の遊技日時番号付き遊技データは、第１遊技場システムＧＳの遊技機設備１０による遊技者の上記先回よりも遅い遊技日時における遊技に基づく貸し出し球数、消費球数、入賞払い出し球数及び残り球数でもって構成される。
【０１４４】
以下、このような後続の遊技データの出力処理が、順次、より遅い遊技日時にて、ステップ５７０におけるＮＯとの判定の繰り返し処理の間、繰り返される。
【０１４５】
しかして、ステップ５６２における出力データセット処理に達する毎に、始動口・ゲート処理ルーチン５１０〜当たり処理ルーチン５５０において処理されて出力すべきデータが、上述と同様にして、順次、より遅い遊技日時及び遊技機番号「ＮＯ．１０」を付した後続の遊技日時番号付き遊技データとして、既にセット済みの各遊技日時番号付き遊技データに加えて、遊技価値記録媒体処理装置４００の処理制御装置４４０に出力すべくセットされる。
【０１４６】
ここで、当該各後続の遊技日時番号付き遊技データは、第１遊技場システムＧＳの遊技機設備１０による上記最初の遊技者の順次より遅い遊技日時における遊技に基づく貸し出し球数、消費球数、入賞払い出し球数及び残り球数でもって構成される。
【０１４７】
然る後、上記最初の遊技者が、その遊技を終了するために、タッチパネル部４６０の遊技終了ボタン部を、タッチにより押動操作すると、この遊技終了ボタン部が、遊技終了信号を発生して、第１遊技場システムＧＳにおける遊技機設備１０のパチンコ遊技機３００の遊技制御装置３４０に出力する。
【０１４８】
すると、遊技制御装置３４０は、図８のステップ５７０において、上述の遊技終了ボタン部からの遊技終了信号に基づき、ＹＥＳと判定する。このことは、上記最初の遊技者が、第１遊技場システムＧＳにおける遊技機設備１０のパチンコ遊技機３００による遊技を終了したことを意味する。
【０１４９】
これに伴い、遊技制御装置３４０は、次の遊技終了処理ルーチン６００（図８及び図１０参照）の処理をする。まず、図１０のステップ６１０において、球発射停止処理がなされる。この球発射停止処理では、球発射停止信号が、遊技制御装置３４０によって、球発射制御機構３５０ａに出力される。すると、球発射制御機構３５０ａは、当該球発射停止信号に基づき、遊技球の発射を停止する。
【０１５０】
ステップ６１０の処理後、ステップ６２０において、浮遊球があるか否かが判定される。ここで、浮遊球とは、球発射制御機構３５０ａによる遊技球の発射停止後において、遊技盤３３０の盤面３３１の遊技領域３３１ａにて転動中にある遊技球をいう。
【０１５１】
しかして、浮遊球が、遊技盤３３０の盤面３３１に沿い転動してアウト口３３１ｂを通り排出される過程において、排出センサＳ１により検出されると、当該排出センサＳ１の検出出力が遊技制御装置３４０に入力される。このため、遊技制御装置３４０は、ステップ６２０においてＹＥＳと判定する。なお、現段階において、浮遊球がなければ、排出センサＳ１の検出出力はないことから、ステップ６２０における判定はＮＯとなる。
【０１５２】
上述のようにステップ６２０における判定がＹＥＳとなると、次のステップ６２１における浮遊球の計数処理において、排出センサＳ１の検出出力ごとに浮遊球の数が計数されて浮遊球数データとしてセットされる。なお、このような計数処理は、ステップ６３０において所定時間の経過まで継続される。ここで、上記所定時間は、浮遊球がなくなるに要する時間をいう。
【０１５３】
ステップ６２０におけるＮＯとの判定後或いはステップ６３０におけるＹＥＳとの判定後、ステップ６４０において、カード書き込み指令処理がなされる。このカード書き込み指令処理では、遊技制御装置３４０が、ＩＣカードに対する書き込み指令を、遊技価値記録媒体処理装置４００の処理制御装置４４０に対し実行する。
【０１５４】
ついで、ステップ６５０において遊技データ出力処理がなされる。この遊技データ出力処理では、遊技制御装置３４０が、上述のごとく出力データセット処理ルーチン５６０においてセット済みの各遊技日時番号付き遊技データを、ステップ６２１における浮遊球数データと共に、遊技価値記録媒体処理装置４００の処理制御装置４４０及び認証制御装置４５０に出力する。この出力後、ステップ６６０において、出力データセット処理ルーチン５６０にてセット済みの各遊技日時番号付き遊技データ及びステップ６２１における浮遊球データは消去される。
【０１５５】
しかして、上述のようにＩＣカードに対する書き込み指令が遊技価値記録媒体処理装置４００の処理制御装置４４０になされると、当該処理制御装置４４０は、書き込みデータありとの判断のもとに、図１１のステップ７３０において、ＮＯと判定して、カード書き込み処理ルーチン７４０（図１１及び図１２参照）の処理に移行する。
【０１５６】
すると、図１２のステップ７４１において、書き込みカードがあるか否かが判定される。現段階では、ＩＣカードが遊技価値記録媒体処理装置４００の挿入部１０ａ内に挿入されていることから、処理制御装置４４０は、ステップ７４１においてＹＥＳと判定する。
【０１５７】
これに伴い、次のステップ７４２において、遊技データセット処理がなされる。この遊技データセット処理において、処理制御装置４４０は、上述のようにステップ６５０にて出力されてなる浮遊球数データの浮遊球数をステップ５７０（図８参照）におけるＹＥＳとの判定直前の後続の遊技日時番号付き遊技データの入賞球数或いは消費球数に減算或いは加算により加味して、改たな遊技日時番号付き遊技データとして、残りの遊技日時番号付き遊技データとともにセットする。
【０１５８】
ついで、ステップ７４２ａにおいてセット遊技データのホールサーバへの出力処理がなされる。この出力処理では、処理制御装置４４０が、ステップ７４２にてセットした各セット遊技日時番号付き遊技データを、第１遊技場システムＧＳのホールサーバＨＳに出力する。
【０１５９】
また、ステップ７４２ａの処理後、次のステップ７４３において、書き込み開始処理がなされる。この書き込み開始処理では、処理制御装置４４０が、ステップ７４２における各セット遊技日時番号付き遊技データを、Ｒ／Ｗ４３０を介し、ＩＣカードへの書き込みを開始する。
【０１６０】
この書き込みの過程において、書き込みエラーがあれば、ステップ７４５におけるＹＥＳとの判定及びステップ７４６におけるＮＯとの判定のもとに、ステップ７４３における書き込み開始処理が再びなされる。このような処理は、書き込みエラー回数が所定値以上になると、ステップ７４６にてＹＥＳと判定されて、その後のステップ７４３の処理が禁止される。
【０１６１】
しかして、ステップ７４６にてＹＥＳと判定されることなくステップ７４５での判定がＮＯとなれば、ステップ７４７における書き込み終了処理において、ＩＣカードへの書き込みが正常に終了する。なお、ステップ７４６にてＹＥＳと判定されるときは、ＩＣカードへの書き込みが不良状態にて終了する。
【０１６２】
以上のようにしてカード書き込み処理ルーチン７４０の処理が終了すると、次のカード排出処理ルーチン７５０（図１１及び図１３参照）の処理がなされる。現段階において、上述の遊技を終了した最初の遊技者がタッチパネル部４６０のカード排出ボタンの押動操作をしていなければ、タッチパネル部４６０は、カード排出信号を発生していないことから、処理制御装置４４０は、ステップ７５１においてＮＯと判定する。
【０１６３】
然る後、上記最初の遊技者がタッチパネル部４６０のカード排出ボタンをタッチにより押動操作すると、タッチパネル部４６０は、カード排出信号を発生する。これに伴い、処理制御装置４４０は、挿入部４１０ａ内のＩＣカードを排出する。これにより、遊技者はＩＣカードを取り込むことができる。
【０１６４】
上述のようにカード排出処理ルーチン７５０の処理が終了すると、次のステップ７６０におけるカード取り忘れ注意表示処理において、処理制御装置４４０は、タッチパネル部４６０にカード取り忘れ注意表示をさせるように実行する。このため、タッチパネル部４６０が、カード取り忘れ注意表示を行うことで、上記最初の遊技者に対しＩＣカードの取り忘れのないように注意を喚起する。
【０１６５】
また、上述のごとく出力データセット処理ルーチン５６０においてセット済みの各遊技日時番号付き遊技データ及びステップ６２１における浮遊球数データが遊技制御装置３４０により認証制御装置４５０に出力されると、当該認証制御装置４５０は、浮遊球数データの浮遊球数をステップ５７０（図８参照）におけるＹＥＳとの判定直前の後続の遊技日時番号付き遊技データの入賞球数或いは消費球数に減算或いは加算により加味して、改めて遊技日時番号付き遊技データとする。
【０１６６】
そして、当該認証制御装置４５０は、当該新たな遊技日時番号付き遊技データ及び残りの各遊技日時番号付き遊技データに対し、それぞれ、第１パチンコホールＨの番号（以下、ホール番号ともいう）「１」を付して、各ホール番号遊技日時番号付き遊技データとして形成する。
【０１６７】
然る後、当該認証制御装置４５０は、当該各ホール番号遊技日時番号付き遊技データにその改竄防止のための暗号を付して、当該各暗号化ホール番号遊技日時番号付き遊技データを各電子認証付き遊技データとしてブラックボックスサーバＢＳに出力する。これに伴い、当該各電子認証付き遊技データはブラックボックスサーバＢＳにより保持される。なお、本実施形態において、残りの第２〜第１０のパチンコホールＨのホール番号は２〜１０とする。
【０１６８】
また、上述のように、ステップ７４２ａ（図１２参照）において各セット遊技日時番号付き遊技データがホールサーバＨＳに出力されると、当該ホールサーバＨＳは、上記各セット遊技日時番号付き遊技データを構成する消費球、払い出し球、浮遊球等の数に基づき、上記最初の遊技者の遊技終了時における第１遊技場システムＧＳの遊技機設備１０による売り上げを算出されて売り上げデータとして保持する。
【０１６９】
また、以上のような第１遊技場システムＧＳの遊技機設備１０の遊技制御装置３４０、処理制御装置４４０、認証制御装置４５０、ホールサーバＨＳ及びブラックボックスサーバＢＳの各処理は、当該遊技機設備１０による上記最初の遊技者からの遊技者の変更ごとに、第１パチンコホールＨの営業終了時まで、繰り返される。
【０１７０】
従って、第１遊技場システムＧＳの遊技機設備１０において、上記最初の遊技者からの変更後の遊技者の遊技が終了するごとに、遊技制御装置３４０が、上述と同様にして、ステップ６４０（図１０参照）にて、変更後の遊技者のＩＣカードに対する書き込み指令を遊技価値記録媒体処理装置４００の処理制御装置４４０に対し行うともに、ステップ６５０における遊技データ出力処理にて、出力データセット処理ルーチン５６０（図８参照）においてセット済みの各遊技日時番号付き遊技データを、ステップ６２１（図１０参照）における浮遊球数データと共に、遊技価値記録媒体処理装置４００の処理制御装置４４０及び認証制御装置４５０に出力する。
【０１７１】
しかして、変更後の遊技者のＩＣカードに対する書き込み指令ごとに、遊技価値記録媒体処理装置４００の処理制御装置４４０は、カード書き込み処理ルーチン７４０のステップ７４２（図１２参照）にて、上述と同様にして、ステップ５７０（図８参照）におけるＹＥＳとの判定直前の後続の遊技日時番号付き遊技データ及びステップ６５０における浮遊球数データに基づき改たな遊技日時番号付き遊技データとして、残りの遊技日時番号付き遊技データとともにセットし、ステップ７４２ａ（図１２参照）にて、当該各遊技日時番号付き遊技データを第１遊技場システムＧＳのホールサーバＨＳに出力し、ステップ７４３〜ステップ７４５（図１２参照）の処理にて、ステップ７４２における各セット遊技日時番号付き遊技データを、Ｒ／Ｗ４３０を介し、変更後の遊技者ごとのＩＣカードに書き込む。
【０１７２】
また、上述のように、処理制御装置４４０が、ステップ７４２ａ（図１２参照）にて、当該各遊技日時番号付き遊技データを第１遊技場システムＧＳのホールサーバＨＳに出力するごとに、当該ホールサーバＨＳにおいては、上記各セット遊技日時番号付き遊技データを構成する消費球、払い出し球、浮遊球等の数に基づき、上記変更後の遊技者毎の遊技終了時における第１遊技場システムＧＳの遊技機設備１０による売り上げが算出されて売り上げデータとして、変更後の遊技者による売り上げデータに加えて保持される。
【０１７３】
また、上述のように、ステップ６５０（図１０参照）における遊技データ出力処理にて、出力データセット処理ルーチン５６０（図８参照）においてセット済みの各遊技日時番号付き遊技データを、ステップ６２１（図１０参照）における浮遊球数データと共に、認証制御装置４５０に出力するごとに、当該認証制御装置４５０は、上述と同様にして、ホール番号遊技日時番号付き遊技データを形成し、このホール番号遊技日時番号付き遊技データを暗号化して電子認証付き遊技データとしてブラックボックスサーバＢＳに出力する。
【０１７４】
これに伴い、当該各電子認証付き遊技データは、変更後の遊技者の場合の各電子認証付き遊技データに加えて、ブラックボックスサーバＢＳにより保持される。このような保持は、第１パチンコホールＨの営業終了時まで繰り返される。
【０１７５】
しかして、ブラックボックスサーバＢＳは、第１パチンコホールＨの営業終了時までに保持した各電子認証付き遊技データ（各ホール番号遊技日時番号付き遊技データを暗号化したデータ）が、第１パチンコホールＨの営業終了時において、インターネットＩＮを介してデータ管理サーバＤＳに送信される。
【０１７６】
また、以上説明した処理は、第１遊技場システムＧＳの残りの各遊技機設備、ホールサーバ及びブラックボックスサーバ、並びに第２〜第１０の遊技場システムＧＳの各遊技機設備、各ホールサーバ及び各ブラックボックスサーバにおいても同様にしてなされる。
【０１７７】
従って、第１遊技場システムＧＳの残りの各遊技機設備の認証制御装置４５０及び第２〜第１０の遊技場システムＧＳの各遊技機設備の認証制御装置４５０は、それぞれ、遊技機設備１０の認証制御装置４５０と同様に、パチンコホール毎にそのホール番号を付したホール番号遊技日時番号付き遊技データを暗号化して電子認証付き遊技データとして、各対応のブラックボックスサーバＢＳに出力して、当該各対応のブラックボックスサーバＢＳに保持する。この保持は、パチンコホール毎にその営業終了時まで繰り返される。
【０１７８】
しかして、第１パチンコホールＨのブラックボックスサーバＢＳに保持された各電子認証付き遊技データ及び第２〜第１０のパチンコホールＨの各ブラックボックスサーバＢＳに保持された各電子認証付き遊技データは、各パチンコホールの営業終了時にインターネットＩＮを介し、データ管理センターＤＳに送信される。
【０１７９】
以上説明したように、本実施形態によれば、パチンコホールＨ（遊技場システムＧＳ）毎に、パチンコ遊技機３３０の遊技制御装置３４０は、各遊技日時番号付き遊技データを、浮遊球数データと共に、遊技価値記録媒体処理装置４００の処理制御装置４４０及び認証制御装置４５０の双方に出力する。
【０１８０】
すると、パチンコホールＨ毎に、処理制御装置４４０は、各遊技日時番号付き遊技データを、浮遊球数データと共に、ホールサーバＨＳに出力し、一方、認証制御装置４５０は、処理制御装置４４０とは別途、遊技日時番号付き遊技データ及び浮遊球数データに基づき形成される改たな遊技日時番号付き遊技データとその他の遊技日時番号付き遊技データとにそれぞれホール番号を付してホール番号遊技日時番号付き遊技データとして形成し、当該各ホール番号遊技日時番号付き遊技データをそれぞれ暗号化することで、各電子認証付き遊技データとして保存する。
【０１８１】
しかして、パチンコホールＨ毎に、その営業終了時に、ブラックボックスサーバＢＳは、上述の各電子認証付き遊技データをインターネットＩＮに向けて送信する。これに伴い、上述の各電子認証付き遊技データは、インターネットＩＮを介しデータ管理サーバＤＳにより受信される。
【０１８２】
ここで、上述のように、パチンコホールＨ毎に、各遊技日時番号付き遊技データ及び浮遊球数データが、処理制御装置４４０からホールサーバＨＳに出力されると、当該ホールサーバＨＳは、処理制御装置４４０からの各遊技日時番号付き遊技データ及び浮遊球数データに基づき、遊技機番号で特定される遊技機設備毎の売上や全体の遊技機設備の売り上げ総額を算出して保存し得る。これにより、パチンコホールＨ毎に、その経営者は、遊技日の遊技機設備毎の売上や全体の遊技機設備の売り上げ総額を把握し得る。
【０１８３】
また、上述のように、パチンコホールＨ毎に、その営業終了時に、各電子認証付き遊技データが、ブラックボックスサーバＢＳによりインターネットＩＮに送信されてデータ管理サーバＤＳにより受信されると、当該各電子認証付き遊技データは、それぞれ、ホール番号、遊技機番号及び遊技日時でもって特定されて暗号化された遊技データであることから、第３者管理センターにおいては、データ管理サーバＤＳにより受信した各電子認証付き遊技データに基づき、遊技日ごとに、ホール番号ごとのパチンコホールＨにおける遊技機番号ごとの各遊技機設備による売り上げや全遊技機設備による総売り上げが把握され得る。
【０１８４】
また、上述のように、パチンコホールＨごとに、遊技制御装置３４０から認証制御装置４５０を介するブラックボックスサーバＢＳへの出力系統は、遊技制御装置３４０から処理制御装置４４０を介するホールサーバＨＳへの出力系統に対し、別個独立に構成されている。しかも、ホールサーバＨＳは、ブラックボックスサーバＢＳとは異なり、インターネットＩＮとは通信不能となっている。
【０１８５】
従って、データ管理サーバＤＳは、インターネットＩＮを介しホールサーバＨＳの出力データを受信することはなく、ブラックボックスサーバＢＳの出力データのみを、インターネットＩＮを介し受信することとなる。
【０１８６】
これにより、ホールサーバＨＳにおいて遊技日時番号遊技データが改竄されることがあっても、この改竄遊技日時番号遊技データがデータ管理サーバＤＳにより受信されることはなく、ブラックボックスサーバＢＳからの改竄不能な電子認証付き遊技データのみがデータ管理サーバＤＳにより受信される。その結果、データ管理サーバＤＳの受信電子認証付き遊技データは、改竄不能に暗号化されているため、信頼性を高く維持し得る。
【０１８７】
換言すれば、各パチンコホールＨの経営者や従業員が、各対応のホールサーバＨＳの売り上げデータを改竄しても、このような改竄は、認証制御装置４５０及びブラックボックスサーバＢＳを通るデータには何ら影響を与えることができない。しかも、ホールサーバＨＳは、上述のごとく、インターネットＩＮとの間で通信経路が存在しない。
【０１８８】
従って、インターネットＩＮを介しデータ管理センターＤＳに送信した各パチンコホールのブラックボックスサーバＢＳからの各データは、改竄されることなく、データ管理サーバＤＳにおいて正しく保存され得る。これにより、第３者管理センターは、データ管理サーバＤＳの保存データに基づき、各パチンコホールＨの個々の遊技機設備による売り上げやパチンコホール毎の総売り上げを正しく把握し得る。
【０１８９】
その結果、税務署や裁判所の要請に対し、データ管理サーバＤＳの保存データを正しく提供することができて、各パチンコホールＨにおける不正経理の有無を正しく調べ得る。
【０１９０】
また、インターネットＩＮに向けて電子認証付き遊技データを送信するブラックボックスサーバＢＳは、封印された上記ケーシングに内蔵されているため、仮に、電子認証付き遊技データが何らかの特殊な方法により改竄されても、事前に、上記ケーシングの封印が解除されることから、電子認証付き遊技データの改竄が察知され得る。従って、ホール番号遊技日時番号付き遊技データの改竄がより一層防止され得る。
【０１９１】
なお、本発明の実施にあたり、上記各施形態に限ることなく、次のような種々の変形例が挙げられる。
（１）本発明の実施にあたり、上記実施形態にて述べたパチンコホールの遊技場システムに限ることなく、スロットマシンを遊技機として配列してなるスロットホール、パチンコ及びスロットの兼用ホール、ゲームセンター或いはカジノ等の各種遊技場において遊技球、コインやメダル等の遊技媒体を電子データとして遊技に用いるのに適した遊技場システムに本発明を適用してもよい。
（２）本発明の実施にあたり、ブラックボックスＢＳからインターネットＩＮを介するデータ管理サーバＤＳへのデータ送信は、パチンコホールの営業終了時の１回に限ることなく、パチンコホールの営業時間帯において、毎日、一定時間間隔にて、複数回行うようにしてもよい。
（３）本発明の実施にあたり、遊技価値記録媒体処理装置４００の認証制御装置４５０に代えて、パチンコ遊技機３００において遊技制御装置３４０の出力データを暗号化して認証付きデータとして、ブラックボックスＢＳに出力するようにしてもよい。
（４）本発明の実施にあたり、上記実施形態にて述べたように遊技制御装置３４０から認証制御装置４５０を介するブラックボックスサーバＢＳへの出力系統は、遊技制御装置３４０から処理制御装置４４０を介するホールサーバＨＳへの出力系統に対し、別個独立に構成されているから、遊技制御装置３４０からの遊技日時番号遊技データが、認証されることなく、電子認証処理を行わない制御装置により、ボックスサーバＢＳを介しインターネットＩＮに送信されるように構成してもよく、また、遊技制御装置３４０からの遊技日時番号遊技データが、認証制御装置４５０を介することなく、直接、ボックスサーバＢＳを介しインターネットＩＮに送信されるように構成してもよい。これによっても、データ管理サーバＤＳによる受信されるデータは、パチンコホールＨの遊技者等により改竄されにくい。
（５）本発明の実施にあたり、遊技価値記憶媒体を挿入する挿入部を備えるとともに、当該挿入部に挿入された上記遊技価値記憶媒体に記憶してなる遊技者の所有遊技価値を表す所有遊技価値データを読み出して封入式遊技機に出力すべく処理するように、遊技機と共に遊技場ホール内に配設される遊技価値記憶媒体処理装置において、上記所有遊技価値データに基づく遊技者の遊技に伴い形成される遊技価値を遊技機から形成遊技価値データとして出力されて、遊技場ホール内に配設される売上管理装置に対し、出力する形成遊技価値データ出力手段を備えて、  第３者の管理下にある第３者管理サーバは、遊技機から出力される上記形成遊技価値データを管理データとしてネットワークを介し送信されるようにしてもよい。
【０１９２】
ここで、遊技機から出力される上記形成遊技価値データにその改竄防止のための電子認証を付して電子認証付き遊技価値データとする電子認証手段を備えて、管理サーバは、ネットワークを介し、電子認証手段から前記電子認証付き遊技価値データを管理データとして送信されるようにしてもよい。
【０１９３】
また、管理サーバは、上記管理データを、遊技機による遊技の終了の際に遊技機から出力される上記形成遊技価値データに基づきネットワークを介し送信されるようになっており、遊技価値記憶媒体は、遊技機による遊技の終了の際に遊技機から出力される上記形成遊技価値データを記憶するようになっていてもよい。
【符号の説明】
【０１９４】
ＢＳ…ブラックボックスサーバ、ＨＳ…ホールサーバ、ＧＳ…遊技場システム、
Ｇ１〜Ｇ１２…遊技機設備群、１０〜２０５…遊技機設備、
３００…パチンコ遊技機、３４０…遊技制御装置、
４００…遊技価値記録媒体処理装置、４４０…処理制御装置、
４６０…タッチパネル部。
【図１】
2014087494.tif 000003
【図２】
2014087494.tif 000004
【図３】
2014087494.tif 000005
【図４】
2014087494.tif 000006
【図５】
2014087494.tif 000007
【図６】
2014087494.tif 000008
【図７】
2014087494.tif 000009
【図８】
2014087494.tif 000010
【図９】
2014087494.tif 000011
【図１０】
2014087494.tif 000012
【図１１】
2014087494.tif 000013
【図１２】
2014087494.tif 000014
【図１３】
2014087494.tif 000015